(57)【要約】【課題】本発明は、１つのコネクタ１０で、２つの基板８０、８０に接続でき、かつ、別の相手コネクタ７０とも嵌合できる構造のコネクタ１０を提供する。【解決手段】本目的は相手コネクタ７０と接触する接触部２８と基板８０と接続する接続部３２を有する複数のコンタクト１３と、相手コネクタ７０が挿入される嵌合口２０と前記コンタクト１３が配列・保持される挿入孔２２を有するハウジング１２を備えるコネクタ１０において、前記コンタクト１３の接続部３２は２分割されるとともに２分割された前記接続部３２が２枚の基板８０、８０と接続することにより達成できる。【選択図】  図５
2009054306.tif 000002
【特許請求の範囲】
【請求項１】
相手コネクタと接触する接触部と基板と接続する接続部を有する複数のコンタクトと、相手コネクタが挿入される嵌合口と前記コンタクトが配列・保持される挿入孔を有するハウジングを備えるコネクタにおいて、
前記コンタクトの接続部は２分割され、２分割された前記接続部が２枚の基板と接続されるとともに相手コネクタと嵌合されることを特徴とするコネクタ。
【請求項２】
前記コンタクトが幅方向に複数配置されている場合に、各々の前記コンタクトのピッチを長手方向に０．５〜５．０８ｍｍずらし、略並行若しくは略垂直に配置される２枚の基板に接続されるとともに相手コネクタと嵌合されることを特徴とする請求項１記載のコネクタ。
【請求項３】
前記コンタクトが幅方向に複数配置されている場合に、各々の前記コンタクトの接続部を長手方向にピッチをずらして折曲げ、前記接続部を略並行若しくは略垂直に配置される２枚の基板に接続されるとともに相手コネクタと嵌合されることを特徴とする請求項１記載のコネクタ。
【請求項４】
前記ハウジングの嵌合口内に相手コネクタとの誤挿入防止手段を設けることを特徴とする請求項１、２または３記載のコネクタ。
【請求項５】
前記ハウジングの長手方向両側に固定具を配置し、前記固定具の基板への係止部を前記コンタクト同様に２分割にするとともに２分割した前記係止部を２枚の基板と接続することを特徴とする請求項１、２または３、４記載のコネクタ。
【請求項６】
前記コンタクトは信号用コンタクトと電力用コンタクトとからなり、前記電力用コンタクトの接触部は千鳥の３枚分割にすることを特徴とする請求項１〜５のいずれか１項記載のコネクタ。
【発明の詳細な説明】
【技術分野】
【０００１】
本発明は、大型コンピュータやサーバ等の電気又は電子機器に使用されるコネクタに関するもので、特に相手コネクタが挿入される嵌合口を有するとともに２つの基板に接続できるコネクタの構造に関するものである。
【背景技術】
【０００２】
一般的に、基板と基板とを接続する場合には、２つのコネクタを用いて、行われている。つまり、一方の基板にコネクタ（プラグ側）を搭載し、他方の基板にコネクタ（ソケット側）を搭載し、コネクタ同士を嵌合させることで、基板間の信号のやり取りを行っている。
近年、基板間の低背化の要求が強くなってきている中、上記のように２つのコネクタを用いた方式では、基板間の低背にも限度がある。そこで、１つのコネクタで基板間を接続するタイプが提案されてきている。
１つのコネクタで、基板間を接続するものとして、特許文献１（実開平６−２９０６７号）と特許文献２（実開平６−６８３１５号）と本出願人が既に提案した特許文献３（特開平１０−２５５９３０号）と特許文献４（特開平１０−２５５９３１号）を例示する。
１つのコネクタで、基板間を接続するものにも、特許文献１及び特許文献３のように、一方の基板に半田付け等でコネクタを接続した上で、他方の基板に押し付けるタイプや、特許文献４のように、両方の基板にコネクタを押し付ける（両方の基板でコネクタを挟み込む）タイプや、特許文献２のように、両方の基板に半田付け等でコネクタを接続するタイプに分けられる。
【特許文献１】実開平６−２９０６７号の要約によると、平行基板の接続時における基板間の離間距離を小さくし，基板を収容する機器の小型化に寄与することのできるコネクタを提供することを目的とし、インシュレータ１と，これに所定の間隔をおいて配置されたコンタクト２からなり，該コンタクト２は所定回数往復方向に曲折されてバネ性が付与されており，かつ該コンタクトの両端（下側端部２３，上側端部２５）が夫々インシュレータの両面側に露出するようにインシュレータに圧入保持されており，下側端部２３は一方の基板Ｂの接点部に半田接続され，上側端部は基板Ａの接点部に弾性接触する様に構成し、また，上記コンタクトはバネ性方向と直交する方向にインシュレータ１内に圧入されている構造のコネクタが開示されている。  ちなみに、実用新案登録請求の範囲には、請求項１として、平行に配置された基板間を接続するコネクタであって，インシュレータと，これに所定の間隔をおいて配置されたコンタクトからなり，該コンタクトは所定回数往復方向に曲折されてバネ性が付与されており，かつ該コンタクトの両端が夫々インシュレータの両面側に露出するように中央部所定の部分がインシュレータに圧入保持されており，コンタクトの一方の端部が一方の基板の接点部に接続され，他方の端部が他方の基板の接点部に接続されるように構成されたことを特徴とする基板間接続用コネクタ、請求項２として、前記コンタクトの一方の端部が一方の基板に半田接続されており，他方の端部が他方の基板に弾性接触するように構成されていることを特徴とする請求項１に記載の基板間接続用コネクタ、請求項３として、前記コンタクトのインシュレータへの圧入方向がバネ性方向と直交する方向になるように構成されていることを特徴とする請求項１または２に記載の基板間接続用コネクタ等が開示されている。
【特許文献２】実開平６−６８３１５号の要約によると、一対の基板に夫々半田付けで接続された電気接続子に作用する力を吸収して、常時電気的接続状態を良好に維持することが出来るものを提供することを目的とし、中間に緩衝導体部４を備えた電気接続子１の両端子部２，３を、夫々各別の基板２０，２３に半田付け２２，２５可能としたメインハウジング１２とサブハウジング１５に装着したことを特徴とする基板間接続用コネクタが開示されている。  ちなみに、実用新案登録請求の範囲には、請求項１として、中間に緩衝導体部を備えた電気接続子の両端子部を、夫々各別の基板に半田付け可能としたメインハウジングとサブハウジングに装着したことを特徴とする基板間接続用コネクタ、請求項２として、メインハウジングとサブハウジングが一体型であることを特徴とする請求項１記載の基板間接続用コネクタ、請求項３として、ハウジングに基板とのロック部を設けたことを特徴とする請求項１又は請求項２記載の基板間接続用コネクタ等が開示されている。
【特許文献３】特開平１０−２５５９３０号の要約によると、基板間２２寸法を小さくでき、コネクタ１０と基板２２の位置合わせが簡単で組立工数も削減でき、１つで基板２２間を接続できる電気コネクタ１０を提供することを目的とし、コンタクト１４にバネ性を持たせると共にコンタクト１４の一方端を一方の基板２２に固定し、コンタクト１４の他方端をもう一方の基板２２に接触させ、かつ、このコンタクト１４の他方端が接触する側の基板２２に押圧するための固定手段を絶縁体１２の長手方向両側に設けることにより達成する構造の電気コネクタが開示されている。  ちなみに、特許請求の範囲には、請求項１として、コンタクトと、複数本のコンタクトを保持・固定する絶縁体とからなる雌雄のコネクタであって、この雌雄のコネクタで基板間を接続する電気コネクタにおいて、前記コンタクトにバネ性を持たせると共にコンタクトの一方端を一方の基板に固定し、コンタクトの他方端をもう一方の基板に接触させ、かつ、このコンタクトの他方端が接触する側の基板に押圧するための固定手段を前記絶縁体の長手方向両側に設けたことを特徴とする電気コネクタ、請求項２として、前記コンタクトを略Ｃ字形状にしたことを特徴とする請求項１記載の電気コネクタ、請求項３として、前記コンタクトを略Ｙ字形状にしたことを特徴とする請求項１記載の電気コネクタ、請求項４として、前記コンタクトの基板に押圧する側を前記絶縁体から突出したことを特徴とする請求項１記載の電気コネクタ等が開示されている。
【特許文献４】特開平１０−２５５９３０号の要約によると、基板間２４、２４寸法を小さくでき、コネクタ１０と基板２４、２４の位置合わせが簡単で組立工数も削減でき、１つで基板２４、２４間を接続できる電気コネクタ１０を提供することを目的とし、コンタクト１４にバネ性を持たせると共にコンタクト１４の両端を基板２４、２４に接触させ、かつ、このコンタクト１４の両端が基板２４、２４に押圧するための固定手段を前記絶縁体の長手方向両側に設けることにより達成することができる構造の電気コネクタが開示されている。  ちなみに、特許請求の範囲には、請求項１として、コンタクトと、複数本のコンタクトを保持・固定する絶縁体とからなる雌雄のコネクタであって、この雌雄のコネクタで基板間を接続する電気コネクタにおいて、前記コンタクトにバネ性を持たせると共にコンタクトの両端を基板に接触させ、かつ、このコンタクトの両端が基板に押圧するための固定手段を前記絶縁体の長手方向両側に設けたことを特徴とする電気コネクタ、請求項２として、前記コンタクトを略Ｃ字形状にしたことを特徴とする請求項１記載の電気コネクタ、請求項３として、前記コンタクトの両端を自由端にし、その両端を前記絶縁体から突出させたことを特徴とする請求項１記載の電気コネクタ等が開示されている。
【発明の開示】
【発明が解決しようとする課題】
【０００３】
近年、２つの基板と接続でき、かつ、別の相手コネクタとも嵌合したいという要求が出てきている。上述したような、特許文献１〜特許文献４の構造では、２つの基板間を接続できても、別の相手コネクタと嵌合することはできない。
【０００４】
本発明は、このような従来の問題点に鑑みてなされたもので、１つのコネクタで、２つの基板に接続でき、かつ、別の相手コネクタとも嵌合できる構造のコネクタを提供せんとするものである。
【課題を解決するための手段】
【０００５】
上記目的は、請求項１に記載したように、相手コネクタ７０と接触する接触部２８と基板８０と接続する接続部３２を有する複数のコンタクト１３と、相手コネクタ７０が挿入される嵌合口２０と前記コンタクト１３が配列・保持される挿入孔２２を有するハウジング１２を備えるコネクタ１０において、前記コンタクト１３の接続部３２は２分割され、２分割された前記接続部３２が２枚の基板８０、８０と接続されるとともに相手コネクタ７０と嵌合されることにより達成できる。
【０００６】
請求項２記載のコネクタ１０は、前記コンタクト１３が幅方向に複数配置されている場合に、各々の前記コンタクト１３のピッチを長手方向に０．５〜５．０８ｍｍずらし、略並行若しくは略垂直に配置される２枚の基板８０、８０に接続されるとともに相手コネクタと嵌合されることを特徴とする請求項１記載のコネクタ１０にある。
また、請求項３記載のコネクタ１０は、前記コンタクト１３が幅方向に複数配置されている場合に、各々の前記コンタクト１３の接続部３２を長手方向にピッチをずらして折曲げ、前記接続部３２を略並行若しくは略垂直に配置される２枚の基板８０、８０に接続されるとともに相手コネクタと嵌合されることを特徴とする請求項１記載のコネクタ１０にある。
さらに、請求項４記載のコネクタ１０は、前記ハウジング１２の嵌合口２０内に相手コネクタ７０との誤挿入防止手段を設けることを特徴とする請求項１、２または３記載のコネクタ１０にある。
【０００７】
請求項５記載のコネクタ１０は、前記ハウジング１２の長手方向両側に固定具１８を配置し、前記固定具１８の基板８０への係止部３４を前記コンタクト１３同様に２分割にするとともに２分割した前記係止部３４を２枚の基板８０と接続することを特徴とする請求項１、２または３、４記載のコネクタ１０にある。
また、請求項６記載のコネクタ１０は、前記コンタクト１３は信号用コンタクト１４と電力用コンタクト１６とからなり、前記電力用コンタクト１６の接触部２８は千鳥の３枚分割にすることを特徴とする請求項１〜５のいずれか１項記載のコネクタ１０にある。
【発明の効果】
【０００８】
以上の説明から明らかなように、本発明のコネクタ１０によると、次のような優れた顕著な効果が得られる。
（１）請求項１に記載したように、相手コネクタ７０と接触する接触部２８と基板８０と接続する接続部３２を有する複数のコンタクト１３と、相手コネクタ７０が挿入される嵌合口２０と前記コンタクト１３が配列・保持される挿入孔２２を有するハウジング１２を備えるコネクタ１０において、前記コンタクト１３の接続部３２は２分割され、２分割された前記接続部３２が２枚の基板８０、８０と接続されるとともに相手コネクタ７０と嵌合されているので、容易に２つの基板８０、８０間を接続できるとともに相手コネクタ７０とも嵌合することができる。
（２）請求項２記載のコネクタ１０は、前記コンタクト１３が幅方向に複数配置されている場合に、各々の前記コンタクト１３のピッチを長手方向に０．５〜５．０８ｍｍずらし、略並行若しくは略垂直に配置される２枚の基板８０、８０に接続されるとともに相手コネクタと嵌合されることを特徴とする請求項１記載のコネクタ１０にしているので、前記コンタクト１３が幅方向に複数配置されていても、容易に略並行若しくは略垂直に配置された２つの基板８０、８０間を接続できるとともに相手コネクタ７０とも嵌合することができる。
（３）請求項３記載のコネクタ１０は、前記コンタクト１３が幅方向に複数配置されている場合に、各々の前記コンタクト１３の接続部３２を長手方向にピッチをずらして折曲げ、前記接続部３２を略並行若しくは略垂直に配置される２枚の基板８０、８０に接続されるとともに相手コネクタと嵌合されることを特徴とする請求項１記載のコネクタ１０にしているので、前記コンタクト１３が幅方向に複数配置されていても、容易に略並行若しくは略垂直に配置された２つの基板８０、８０間を接続できるとともに相手コネクタ７０とも嵌合することができる。
（４）請求項４記載のコネクタ１０は、前記ハウジング１２の嵌合口２０内に相手コネクタ７０との誤挿入防止手段を設けることを特徴とする請求項１、２または３記載のコネクタ１０にしているので、誤嵌合がなく、確実に相手コネクタ７０と嵌合することができる。
（５）請求項５記載のコネクタ１０は、前記ハウジング１２の長手方向両側に固定具１６を配置し、前記固定具１６の基板８０への係止部３４を前記コンタクト１３同様に２分割にするとともに２分割した前記係止部３４を２枚の基板８０、８０と接続することを特徴とする請求項１、２または３、４記載のコネクタ１０にしているので、基板８０との保持力アップになり、容易に２つの基板８０、８０間を接続できるとともに相手コネクタ７０とも嵌合することができる。
（６）請求項６記載のコネクタ１０は、前記コンタクト１３は信号用コンタクト１４と電力用コンタクト１６とからなり、前記電力用コンタクト１６の接触部２８は千鳥の３枚分割にすることを特徴とする請求項１〜５のいずれか１項記載のコネクタ１０にしているので、容易に２つの基板８０、８０間を接続できるとともに相手コネクタ７０とも嵌合することができ、電力用にも対応でき、電力コンタクト１６の冷却にも効果ができる。
【発明を実施するための最良の形態】
【０００９】
本発明の特徴は、略並行若しくは略垂直に配置される２枚の基板８０、８０に接続することができ、かつ、相手コネクタ７０とも嵌合できるようにした点にある。つまり、本発明のコネクタ１０は、相手コネクタ７０が挿入される嵌合口２０を有するとともに２枚の基板８０、８０と接続できるように接続部３２を２分割したものである。
【実施例】
【００１０】
図１から図９に基づいて、略並行に配置された２枚の基板に接続する本発明の一実施例について説明する。
図１（Ａ）は信号コンタクトが幅方向に３本配列され、嵌合口側（相手コネクタ挿入側）よりみたコネクタの斜視図であり、（Ｂ）は接続部側からみたコネクタの斜視図であり、（Ｃ）は（Ａ）のＡ部拡大図である。図２（Ａ）は嵌合口側よりみたハウジングの斜視図であり、（Ｂ）は接続側よりみたハウジングの斜視図であり、（Ｃ）は（Ａ）のＣ部拡大図である。図３（Ａ）は第一信号用コンタクトの斜視図であり、（Ｂ）は第二信号用コンタクトの斜視図であり、（Ｃ）は第三信号用コンタクトの斜視図である。図４は電力用コンタクトの斜視図である。図５（Ａ）は略並行に配置された２枚の基板に接続され、かつ、相手コネクタが挿入された状態の信号用コンタクト部分の断面図であり、（Ｂ）は略並行に配置された２枚の基板に接続され、かつ、相手コネクタが挿入された状態の電力用コンタクト部分の断面図である。図６（Ａ）は図１とは別の信号コンタクトが幅方向に３本配列され、嵌合口側（相手コネクタ挿入側）よりみた図１とは別のコネクタの斜視図であり、（Ｂ）は接続部側からみた図１とは別のコネクタの斜視図であり、（Ｃ）は（Ａ）のＢ部拡大図である。図７（Ａ）は図３（Ａ）とは別の第一信号用コンタクトの斜視図であり、（Ｂ）は図３（Ｂ）とは別の第二信号用コンタクトの斜視図であり、（Ｃ）は図３（Ｃ）とは別の第三信号用コンタクトの斜視図である。図８は図７のコンタクトに対応するハウジングの斜視図である。図９は固定具の斜視図である。
本実施例の本発明のコネクタは、主にハウジング１２と３つの信号用コンタクト１４（第一信号用コンタクト１４１、第二信号用コンタクト１４２、第三信号用コンタクト１４３）と電力用コンタクト１６を備えている。
【００１１】
まず、図３に基づいて、３つの信号用コンタクト１４（第一信号用コンタクト１４１、第二信号用コンタクト１４２、第三信号用コンタクト１４３）について説明する。３つの信号用コンタクト１４（第一信号用コンタクト１４１、第二信号用コンタクト１４２、第三信号用コンタクト１４３）は金属製であり、公知技術のプレス加工によって製作されている。３つの信号用コンタクト１４（第一信号用コンタクト１４１、第二信号用コンタクト１４２、第三信号用コンタクト１４３）の材質としては、バネ性や導電性などが要求されるので、黄銅やベリリウム銅やリン青銅等を挙げることができる。
【００１２】
最初に、図３（Ａ）の第一信号用コンタクト１４１について説明する。前記第一信号用コンタクト１４１は図３（Ａ）のように逆略Ｔ字形状をし、少なくとも前記相手コネクタ７０と接触する接触部２８と２つの基板８０、８０に接続する接続部３２と前記ハウジング１２に固定する固定部３０を備えている。前記第一信号用コンタクト１４１はピン（雄）タイプであり、前記接触部２８は円柱や角柱や板状片をしているが、相手コネクタ７０との接触性を考慮して、本実施例では角柱にしている。前記固定部３０は前記ハウジング１２の挿入孔２２に圧入するために、圧入代が設けられている。前記接続部３２は２枚の基板８０、８０に接続するために２分割されている。図３（Ａ）のように、図面の左右方向に分かれている。前記第一信号用コンタクト１４１は図１の嵌合口２０内の幅方向（図面の上下方向）の中央に配置されるものであり、２分割された前記接続部３２の長さは同一になっている。
【００１３】
２番目に、図３（Ｂ）の第二信号用コンタクト１４２について説明する。前記第二信号用コンタクト１４２は図３（Ｂ）のように逆略Ｔ字形状をし、少なくとも前記相手コネクタ７０と接触する接触部２８と２つの基板８０、８０に接続する接続部３２と前記ハウジング１２に固定する固定部３０を備えている。前記第二信号用コンタクト１４２はピン（雄）タイプであり、前記接触部２８は円柱や角柱や板状片をしているが、相手コネクタ７０との接触性を考慮して、本実施例では角柱にしている。前記固定部３０は前記ハウジング１２の挿入孔２２に圧入するために、圧入代が設けられている。前記接続部３２は２枚の基板８０、８０に接続するために２分割されている。図３（Ｂ）のように、図面の左右方向に分かれている。前記第二信号用コンタクト１４２は嵌合口２０内の幅方向の右側（図１（Ａ）の上側）に配置されるものであり、２分割された前記接続部３２の長さは左側が長く、右側が短くなっている。
【００１４】
３番目に、図３（Ｃ）の第三信号用コンタクト１４３について説明する。前記第三信号用コンタクト１４３は図３（Ｃ）のように逆略Ｔ字形状をし、少なくとも前記相手コネクタ７０と接触する接触部２８と２つの基板８０、８０に接続する接続部３２と前記ハウジング１２に固定する固定部３０を備えている。前記第三信号用コンタクト１４３はピン（雄）タイプであり、前記接触部２８は円柱や角柱や板状片をしているが、相手コネクタ７０との接触性を考慮して、本実施例では角柱にしている。前記固定部３０は前記ハウジング１２の挿入孔２２に圧入するために、圧入代が設けられている。前記接続部３２は２枚の基板８０、８０に接続するために２分割されている。図３（Ｃ）のように、図面の左右方向に分かれている。前記第三信号用コンタクト１４３は嵌合口２０内の幅方向の左側（図１（Ａ）の下側）に配置されるものであり、２分割された前記接続部３２の長さは右側が長く、左側が短くなっている。
【００１５】
次に、電力用コンタクト１６について説明する。電力用コンタクト１６は金属製であり、公知技術のプレス加工によって製作されている。電力用コンタクト１６の材質としては、バネ性や導電性などが要求されるので、黄銅やベリリウム銅やリン青銅等を挙げることができる。
前記電力用コンタクト１６は図４のように逆略Ｔ字形の板状をし、少なくとも前記相手コネクタ７０と接触する接触部２８と２つの基板８０、８０に接続する接続部３２と前記ハウジング１２に固定する固定部３０を備えている。前記接続部３２は２枚の基板８０、８０に接続するために２分割されている。図４のように、図面の左右方向に分かれている。前記電力用コンタクト１６は幅方向に１枚配置されるものであり、２分割された前記接続部３２の長さは同一になっている。
【００１６】
前記接触部２８は相手コネクタとの接触性を良くするため、３枚の接触片３６を千鳥に配置している。相手コンタクトの接触部も３枚の接触片を設け、互いの接触片３６同士を嵌め合わせることで、接触性を向上させるとともに冷却効果も持たせている。前記固定部３０は前記ハウジング１２の挿入穴２４に圧入するために、圧入代が設けられている。
【００１７】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１８】
前記ハウジング１２には、所要数の３つの前記信号用コンタクト１４（第一信号用コンタクト１４１、第二信号用コンタクト１４２、第三信号用コンタクト１４３）が挿入される挿入孔２２と所要数の前記電力用コンタクト１６が挿入される挿入穴２４と固定具１６が挿入される装着孔２６と相手コネクタ７０が挿入される嵌合口２０が設けられている。３つの前記信号用コンタクト１４（第一信号用コンタクト１４１、第二信号用コンタクト１４２、第三信号用コンタクト１４３）は圧入や引っ掛け（ランス）や溶着等によって固定され、前記電力用コンタクト１６も圧入や引っ掛け（ランス）や溶着等によって固定されている。前記固定具１８は圧入や溶着によって固定されている。前記挿入孔２２と前記挿入穴２４の配列は、客先仕様（要求）によって適宜設計する。前記装着孔２６は少なくとも長手方向両側に設けられ、基板への保持力によってはその他の部分（例えば長手方向の中央部分）に設ける場合もある。本実施例では幅方向に３列に配置され、また、前記挿入孔２２は、０．５〜５．０８ｍｍ長手方向のピッチをずらして配置されている。つまり、図１のコネクタ１０に対応するためには、幅方向右側の挿入孔２２を図２の左側（矢印「イ」方向）に１．２７ｍｍずらし、幅方向左側の挿入孔２２を図２の右側（矢印「イ」方向の反対側）に２．５４ｍｍずらす構造にすればよいが、前記挿入孔２２の配列は、これとは逆であってもよい。本実施例では、図２（Ａ）、（Ｃ）のように、幅方向全てに前記挿入孔２２（３列）が設けられている。このように、幅方向全てに前記挿入孔２２を設けることで、前記コンタクト１４の圧入深さや２分割されて接続部３２の長さを考慮することにより３つの前記信号用コンタクト１４（第一信号用コンタクト１４１、第二信号用コンタクト１４２、第三信号用コンタクト１４３）がどこにも挿入（圧入）できるようにしている。前記挿入孔２２、前記挿入穴２４及び前記装着孔２６の形状・大きさは、それぞれの挿入されるコンタクト１３、１６及び固定具１８が挿入できればよく、それぞれの挿入されるコンタクト１３、１６及び固定具１８の形状・大きさや保持力や強度を考慮して適宜設計する。前記信号用コンタクト１４と前記電力用コンタクト１６の配列の仕方は、客先仕様によって適宜設計する。
【００１９】
前記ハウジング１２には、相手コネクタ７０との誤嵌合防止手段が施されている。該手段としては、嵌合口２０の形状によって行うこと（例えば、台形形状にする）やガイドポスト及びキーを配置することによって行われることが多い。本実施例では、ガイドポスト及びキーを配置することによって行っている。つまり、相手コネクタ側にガイドポストを配置し、本コネクタ１０側にキーとしての溝を配置している。
【００２０】
次に、固定具１８について説明する。固定具１８は金属製であり、公知技術のプレス加工によって製作されている。固定具１８の材質としては、バネ性や加工性などが要求されるので、黄銅やベリリウム銅やリン青銅等を挙げることができる。前記固定具１８は図９のように逆略Ｔ字形の板状をし、少なくとも基板８０に係合する係止部３４と前記ハウジング１２に固定される固定部３０と前記ハウジング１２の圧入深さを位置決めする位置決め部３８を備えている。前記係止部３４は２枚の基板８０、８０に係合するために２分割されている。図９のように、図面の左右方向に分かれている。前記固定具１８は幅方向に１枚配置されるものであり、２分割された前記係止部３４の長さは同一になっている。
【００２１】
前記固定部１８は、保持力や加工性や強度等を考慮して適宜設計しており、本実施例では圧入により固定している。
前記位置決め部３８の形状・大きさは、役割や加工性やコネクタ１０の小型化等を考慮して適宜設計している。
【００２２】
図７及び図８に基づいて、別の信号用コンタクト１４と該信号用コンタクト１４を固定するハウジング１２について説明する。ここでは、上述した内容と相違する部分について説明する。
上述した３つの前記信号用コンタクト１４（第一信号用コンタクト１４１、第二信号用コンタクト１４２、第三信号用コンタクト１４３）の相違部分は、前記接続部３２の形状である。前記第三信号用コンタクト１４３は変更がなく、前記第一信号用コンタクト１４１と前記第二信号用コンタクト１４２の接続部３２が相違する。つまり、本実施例では、前記第一信号用コンタクト１４１の接続部３２を図７の奥側（矢印「ロ」方向）に１．２７ｍｍ折曲げ、前記第二信号用コンタクト１４２の接続部３２を図７の奥側（矢印「ロ」方向）に２．５４ｍｍ折曲げた。
図７の３つの前記信号用コンタクト１４（第一信号用コンタクト１４１、第二信号用コンタクト１４２、第三信号用コンタクト１４３）を用いた前記ハウジング１２の相違する部分は、３つの前記信号用コンタクト１４（第一信号用コンタクト１４１、第二信号用コンタクト１４２、第三信号用コンタクト１４３）の折曲部分の逃げ溝が接続部側に設けられているだけである。図７（Ａ）の前記第一信号用コンタクト１４１を図８の嵌合口２０内の幅方向の中央に配置し、図７（Ｂ）の前記第二信号用コンタクト１４２を図８の嵌合口２０内の幅方向の右側（図８の上側）に配置し、図７（Ｃ）の前記第三信号用コンタクト１４３を図８の嵌合口２０内の幅方向の左側（図８の下側）に配置している。本実施例では一方方向にのみ折曲げたが、１本のコンタクトを基準にして振り分けにしても良いし（例えば、第一信号用コンタクト１４１をロ方向に１．２７ｍｍ折曲げ）、第二信号用コンタクト１４２をロ方向と反対方向に１．２７ｍｍ折曲げる）、また、本実施例では前記第三信号用コンタクトを基準したが、３本の信号コンタクト１４のうちどのコンタクトを基準にしてもよい。本実施例では、このように３つの前記信号用コンタクト１４（第一信号用コンタクト１４１、第二信号用コンタクト１４２、第三信号用コンタクト１４３）を配置したが、２分割した前記接続部３２同士が接触することなく、かつ、前記接続部３２が２枚の基板８０に接続できれば、どのように配置してもよい。
【００２３】
図１０から図１１に基づいて、略垂直に配置された２枚の基板８０、８０に接続する本発明の別の一実施例について説明する。
図１０（Ａ）は信号コンタクトが幅方向に３本配列され、嵌合口側（相手コネクタ挿入側）よりみたコネクタの斜視図であり、（Ｂ）は接続部側からみたコネクタの斜視図である。図１１（Ａ）は図１０に対応する第一信号用コンタクトの斜視図であり、（Ｂ）は図１０に対応する第二信号用コンタクトの斜視図であり、（Ｃ）は図１０に対応する第三信号用コンタクトの斜視図である。図１２は図１０に対応する電力用コンタクトの斜視図である。図１３（Ａ）は略垂直に配置された２枚の基板に接続され、かつ、相手コネクタが挿入された状態の信号用コンタクト部分の断面図であり、（Ｂ）は略垂直に配置された２枚の基板に接続され、かつ、相手コネクタが挿入された状態の電力用コンタクト部分の断面図である。図１４（Ａ）は図１１（Ａ）とは別の第一信号用コンタクトの斜視図であり、（Ｂ）は図１１（Ｂ）とは別の第二信号用コンタクトの斜視図であり、（Ｃ）は図１１（Ｃ）とは別の第三信号用コンタクトの斜視図である。図１５（Ａ）は図１１のコンタクトに対応するハウジングの斜視図であり、（Ｂ）は図１４のコンタクトに対応するハウジングの斜視図である。図１６は図９とは別の固定具の斜視図である。
本実施例の本発明のコネクタ１０は、主にハウジング１２と３つの信号用コンタクト１４（第一信号用コンタクト１４１、第二信号用コンタクト１４２、第三信号用コンタクト１４３）と電力用コンタクト１６を備えている。
以下の説明では、図１から図９との相違点についてのみ説明する。
【００２４】
最初に、図１１（Ａ）の第一信号用コンタクト１４１について説明する。前記第一信号用コンタクト１４１は図１１（Ａ）のように倒略Ｔ字形状をし、少なくとも前記相手コネクタ７０と接触する接触部２８と２つの基板８０、８０に接続する接続部３２と前記ハウジング１２に固定する固定部３０を備えている。図７（Ａ）と相違するのは、接続部３２の形状である。２分割されている点は同じだが、その方向が相違する。一方の接続部３２は前記ハウジング１２の底面と並行方向に、他方の接続部３２は前記ハウジング１２の底面と垂直方向に分割されている。前記第一信号用コンタクト１４１は図７（Ａ）同様に、中央に配置され、それぞれの接続部３２、３２の長さは垂直に配置された２枚の基板８０、８０に接続できるように適宜設計する。
【００２５】
２番目に、図１１（Ｂ）の第二信号用コンタクト１４２について説明する。前記第二信号用コンタクト１４２は図１１（Ｂ）のように倒略Ｔ字形状をし、少なくとも前記相手コネクタ７０と接触する接触部２８と２つの基板８０、８０に接続する接続部３２と前記ハウジング１２に固定する固定部３０を備えている。図７（Ｂ）と相違するのは、接続部３２の形状である。２分割されている点は同じだが、その方向が相違する。一方の接続部３２は前記ハウジング１２の底面と並行方向に、他方の接続部３２は前記ハウジング１２の底面と垂直方向に分割されている。前記第二信号用コンタクト１４２は図７（Ｂ）同様に、幅方向の右側（図１０の上側）に配置されるものであり、それぞれの接続部３２、３２の長さは垂直に配置された２枚の基板８０、８０に接続できるように適宜設計する。
【００２６】
３番目に、図１１（Ｃ）の第三信号用コンタクト１４３について説明する。前記第三信号用コンタクト１４３は図１１（Ｃ）のように倒略Ｔ字形状をし、少なくとも前記相手コネクタ７０と接触する接触部２８と２つの基板８０、８０に接続する接続部３２と前記ハウジング１２に固定する固定部３０を備えている。図７（Ｃ）と相違するのは、接続部３２の形状である。２分割されている点は同じだが、その方向が相違する。一方の接続部３２は前記ハウジング１２の底面と並行方向に、他方の接続部３２は前記ハウジング１２の底面と垂直方向に分割されている。前記第三信号用コンタクト１４３は図７（Ｃ）同様に、幅方向の左側（図１０の下側）に配置されるものであり、それぞれの接続部３２、３２の長さは垂直に配置された２枚の基板に８０、８０接続できるように適宜設計する。
【００２７】
次に、電力用コンタクト１６について説明する。電力用コンタクト１６は金属製であり、公知技術のプレス加工によって製作されている。電力用コンタクト１６の材質としては、バネ性や導電性などが要求されるので、黄銅やベリリウム銅やリン青銅等を挙げることができる。
前記電力用コンタクト１６は少なくとも前記相手コネクタ７０と接触する接触部２８と２つの基板８０、８０に接続する接続部３２と前記ハウジング１２に固定する固定部３０を備えている。図４と相違するのは、接続部３２の形状である。２分割されている点は同じだが、その方向が相違する。一方の接続部３２は前記ハウジング１２の底面と並行方向に、他方の接続部３２は前記ハウジング１２の底面と垂直方向に分割されている。前記電力用コンタクト１６は図１２同様に、前記電力用コンタクト１６は幅方向に１枚配置されるものであり、それぞれの接続部３２、３２の長さは垂直に配置された２枚の基板８０、８０に接続できるように適宜設計する。
【００２８】
図１１の信号用コンタクト１４に対応するハウジング１２について、図１５（Ａ）に基づいて説明する。ここでは、図２のハウジング１２との相違点についてのみ説明する。相違点としては、接続部側で幅方向の一方側（コンタクトの接続部が突出しない側）に壁が設けられている点である。
【００２９】
次に、固定具１８について説明する。固定具１８は金属製であり、公知技術のプレス加工によって製作されている。固定具１８の材質としては、バネ性や加工性などが要求されるので、黄銅やベリリウム銅やリン青銅等を挙げることができる。前記固定具１８は図１６のように逆略Ｔ字形の板状をし、少なくとも基板８０に係合する係止部３４と前記ハウジング１２に固定される固定部３０と前記ハウジング１２の圧入深さを位置決めする位置決め部３８を備えている。図９と相違するのは、係止部３４の形状である。２分割されている点は同じだが、その方向が相違する。一方の係止部３４は前記ハウジング１２の底面と並行方向に、他方の係止部３４は前記ハウジング１２の底面と垂直方向に分割されている。前記固定具１８は図１６同様に、前記固定具１８は幅方向に１枚配置されるものであり、それぞれの係止部３４、３４の長さは垂直に配置された２枚の基板８０、８０に接続できるように適宜設計する。
【００３０】
図１４及び図１５に基づいて、図１１とは別の信号用コンタクト１４と該信号用コンタクト１４を固定するハウジング１２について説明する。ここでは、上述した内容と相違する部分について説明する。
上述した３つの前記信号用コンタクト１４（第一信号用コンタクト１４１、第二信号用コンタクト１４２、第三信号用コンタクト１４３）の相違部分は、前記接続部３２の形状である。前記第三信号用コンタクト１４３は変更がなく、前記第一信号用コンタクト１４１と前記第二信号用コンタクト１４２の接続部３２が相違する。つまり、本実施例では、前記第一信号用コンタクト１４１の接続部３２を図１５の奥側（矢印「ハ」方向）に１．２７ｍｍ折曲げ、前記第二信号用コンタクト１４２の接続部３２を図１５の奥側（矢印「ハ」方向の反対側）に２．５４ｍｍ折曲げた。
図８と図１５（Ｂ）の３つの前記信号用コンタクト１４（第一信号用コンタクト１４１、第二信号用コンタクト１４２、第三信号用コンタクト１４３）を用いた前記ハウジング１２の相違する部分は、接続部側で幅方向の一方側（コンタクトの接続部が突出しない側）に壁が設けられている点である。図１４（Ａ）の前記第一信号用コンタクト１４１を図１５の嵌合口２０内の幅方向の中央に配置し、図１４（Ｂ）の前記第二信号用コンタクト１４２を図１５の嵌合口２０内の幅方向の右側（図１５の上側）に配置し、図１４（Ｃ）の前記第三信号用コンタクト１４３を図１５の嵌合口２０内の幅方向の左側（図１５の下側）に配置している。本実施例では一方方向にのみ折曲げたが、１本のコンタクトを基準にして振り分けにしても良いし（例えば、第一信号用コンタクト１４１をロ方向に１．２７ｍｍ折曲げ）、また、本実施例では前記第三信号用コンタクトを基準したが、３本の信号コンタクト１４のうちどのコンタクトを基準にしてもよい。
【００３１】
「複数（本実施例では３本）の信号用コンタクトを１対とし、１対の信号用コンタクトの接続部を分割するとともに前記接続部を略並行若しくは略垂直に配置される２枚の基板に接続している」点にも特徴がある。つまり、１対の信号用コンタクトの各々の信号用コンタクトのピッチを長手方向で０．５〜５．０８ｍｍの範囲でずらすか、１対の信号用コンタクトの１本以外の各々の信号用コンタクトを折り曲げることで長手方向に０．５〜５．０８ｍｍの範囲でピッチをずらすか（１対の信号用コンタクトは幅方向に１列に配置されている）している。
本実施例では、上述のように、３本の信号用コンタクトを１対としている。つまり、幅方向の中央の信号用コンタクトを基準に幅方向の左右の信号用コンタクトを長手方向のいずれか一方に１．２７ｍｍずらすことにより行う場合や、幅方向の中央の信号用コンタクトを基準に幅方向の左右の信号用コンタクトをいずれか一方に１．２７ｍｍ折曲ずらす場合により行っている（３本の信号用コンタクトは幅方向に１列に配置されている）。基準となる位置は、１対（３本）の信号用コンタクトのどの部分にしてもよい。
【００３２】
上述した実施例は、ピン（雄）タイプのコンタクト１４を使用したプラグコネクタ１０について説明したが、本発明の特徴を利用したものは、ソケット（雌）タイプのコンタクトに使用するソケットコネクタであってもよい。
【産業上の利用可能性】
【００３３】
本発明の活用例としては、大型コンピュータやサーバ等の電気又は電子機器に使用されるコネクタに活用され、特に相手コネクタが挿入される嵌合口を有するとともに２つの基板に接続できるコネクタの構造に関するものである。
【図面の簡単な説明】
【００３４】
【図１】（Ａ）  信号コンタクトが幅方向に３本配列され、嵌合口側（相手コネクタ挿入側）よりみたコネクタの斜視図である。（Ｂ）  接続部側からみたコネクタの斜視図である。（Ｃ）  （Ａ）のＡ部拡大図である。
【図２】（Ａ）  嵌合口側よりみたハウジングの斜視図である。（Ｂ）  接続側よりみたハウジングの斜視図である。（Ｃ）  （Ａ）のＣ部拡大図である。
【図３】（Ａ）  第一信号用コンタクトの斜視図である。（Ｂ）  第二信号用コンタクトの斜視図である。（Ｃ）  第三信号用コンタクトの斜視図である。
【図４】電力用コンタクトの斜視図である。
【図５】（Ａ）  略並行に配置された２枚の基板に接続され、かつ、相手コネクタが挿入された状態の信号用コンタクト部分の断面図である。（Ｂ）  略並行に配置された２枚の基板に接続され、かつ、相手コネクタが挿入された状態の電力用コンタクト部分の断面図である。
【図６】（Ａ）  図１とは別の信号コンタクトが幅方向に３本配列され、嵌合口側（相手コネクタ挿入側）よりみた図１とは別のコネクタの斜視図である。（Ｂ）  接続部側からみた図１とは別のコネクタの斜視図である。（Ｃ）  （Ａ）のＢ部拡大図である。
【図７】（Ａ）  図３（Ａ）とは別の第一信号用コンタクトの斜視図である。（Ｂ）  図３（Ｂ）とは別の第二信号用コンタクトの斜視図である。（Ｃ）  図３（Ｃ）とは別の第三信号用コンタクトの斜視図である。
【図８】図７のコンタクトに対応するハウジングの斜視図である。
【図９】固定具の斜視図である。
【図１０】（Ａ）  信号コンタクトが幅方向に３本配列され、嵌合口側（相手コネクタ挿入側）よりみた別のコネクタの斜視図である。（Ｂ）  接続部側からみた別のコネクタの斜視図である。
【図１１】（Ａ）  図１０に対応する第一信号用コンタクトの斜視図である。（Ｂ）  図１０に対応する第二信号用コンタクトの斜視図である。（Ｃ）  図１０に対応する第三信号用コンタクトの斜視図である。
【図１２】図１０に対応する電力用コンタクトの斜視図である。
【図１３】（Ａ）  略垂直に配置された２枚の基板に接続され、かつ、相手コネクタが挿入された状態の信号用コンタクト部分の断面図である。（Ｂ）  略垂直に配置された２枚の基板に接続され、かつ、相手コネクタが挿入された状態の電力用コンタクト部分の断面図である。
【図１４】（Ａ）  図１１（Ａ）とは別の第一信号用コンタクトの斜視図である。（Ｂ）  図１１（Ｂ）とは別の第二信号用コンタクトの斜視図である。（Ｃ）  図１１（Ｃ）とは別の第三信号用コンタクトの斜視図である。
【図１５】（Ａ）  図１１のコンタクトに対応するハウジングの斜視図である。（Ｂ）  図１４のコンタクトに対応するハウジングの斜視図である。
【図１６】図９とは別の固定具の斜視図である。
【符号の説明】
【００３５】
１０      コネクタ
１２      ハウジング
１３      コンタクト
１４      信号用コンタクト
１４１    第一信号用コンタクト
１４２    第二信号用コンタクト
１４３    第三信号用コンタクト
１６      電力用コンタクト
１８      固定具
２０      嵌合口
２２      挿入孔
２４      挿入穴
２６      装着孔
２８      接触部
３０      固定部
３２      接続部
３４      係止部
３６      接触片
３８      位置決め部
７０      相手コネクタ
８０      基板
【図１】
2009054306.tif 000003
【図２】
2009054306.tif 000004
【図３】
2009054306.tif 000005
【図４】
2009054306.tif 000006
【図５】
2009054306.tif 000007
【図６】
2009054306.tif 000008
【図７】
2009054306.tif 000009
【図８】
2009054306.tif 000010
【図９】
2009054306.tif 000011
【図１０】
2009054306.tif 000012
【図１１】
2009054306.tif 000013
【図１２】
2009054306.tif 000014
【図１３】
2009054306.tif 000015
【図１４】
2009054306.tif 000016
【図１５】
2009054306.tif 000017
【図１６】
2009054306.tif 000018